(57)【要約】      （修正有）【課題】カム上のロープの径や摩耗の程度に関係なく、カムを素早くかつ確実に解放することができる、多機能のビレー装置を提供する。【解決手段】ロープ用のビレー装置はカム１１を備えている。カム１１は、止め金具１６に対する引っ掛かり効果によりロープ１３が固定されることに対応する固定位置と、カム１１と止め金具１６との間の隙間においてロープ１３を自在に走行させることができるような離間位置との間で移動自在となっている。カム１１は引き金ラチェット２３と協働するようになっている。引き金ラチェット２３は、離間位置にあるカム１１をブロックするような固定位置、またはカム１１を解放するような制御動作の後における解除位置のいずれかの位置にある。【選択図】図７
2007255709.tif 000002
【特許請求の範囲】
【請求項１】
固定用止め金具（１６）が取り付けられた支持プレート（１７）と、
第１のスピンドルピン（１４、１１４）の周りで前記支持プレートに対して制限的な回転を行うよう取り付けられ、周囲でロープ（１３）が巻かれるような周辺領域を有するカム（１１）であって、前記止め金具（１６）に対する引っ掛かり効果によりロープ（１３）がブロックされることに対応する固定位置と、前記カム（１１）と前記止め金具（１６）との間の隙間において前記ロープ（１３）を自在に走行させることができるような離間位置との間で移動自在となっているようなカム（１１）と、
を備え、
前記カム（１１）は、前記離間位置にあるカム（１１）をブロックするような固定位置、または前記カム（１１）を解放するような制御動作の後における解除位置のいずれかの位置にある引き金ラチェット（２３）と協働するようになっていることを特徴とするロープ用のビレー装置。
【請求項２】
前記カム（１１）の解放は、前記ロープ（１３）の下りの第１の綱（１３ａ）が前記引き金ラチェット（２３）を押圧したときに行われることを特徴とする請求項１記載のビレー装置。
【請求項３】
前記引き金ラチェット（２３）は、第３のスピンドルピン（２４）に対して制限的な回転を行うよう取り付けられ、前記カム（１１）の固定用ノッチ（２２）内に引っ掛かるよう設計された戻り止め部材（２５）を有することを特徴とする請求項１記載のビレー装置。
【請求項４】
前記引き金ラチェット（２３）には、当該ラチェットを前記固定位置に向けて付勢するバネ（２７）と連動して動作を行う制御用翼板（２６）が取り付けられており、前記制御用翼板（２６）上における前記ロープの前記第１の綱（１３ａ）の動作により、前記ラチェットが前記解除位置に移動するようになっていることを特徴とする請求項３記載のビレー装置。
【請求項５】
前記固定用ノッチ（２２）は、前記カム（１１）内に配置された長円形の開口部（２１）の近傍に設けられており、前記開口部における円形領域の形状の部分は、前記第１のスピンドルピン（１４、１１４）を中心としており、少なくとも離間位置と固定位置との間における前記カム（１１）の角運動の距離と等しい長さを有することを特徴とする請求項３記載のビレー装置。
【請求項６】
前記制御用翼板（２６）は前記固定用止め金具（１６）の近傍に設けられており、前記バネ（２７）は前記固定用止め金具（１６）の止まり穴の中に収容された圧縮バネであることを特徴とする請求項４記載のビレー装置。
【請求項７】
前記引き金ラチェット（２３）の戻り止め部材（２５）は、前記カム（１１）の長円形の開口部（２１）内または前記固定用ノッチ（２２）内のいずれかに設けられたローラ（２５ａ）と連動して動作を行うことを特徴とする請求項５記載のビレー装置。
【請求項８】
前記引き金ラチェット（２３）は、先頭の登山者のビレーとしての作用に対応する第１の設定位置、または２番目の登山者のビレーとしての作用に対応する第２の設定位置のいずれかに設定可能な切り換え部材（２８）と協働することを特徴とする請求項１記載のビレー装置。
【請求項９】
前記引き金ラチェット（２３）は、前記カム（１１）と前記支持プレート（１７）の内壁との間に挿入され、前記切り換え部材（２８）は前記支持プレート（１７）の外面に固定されることを特徴とする請求項８記載のビレー装置。
【請求項１０】
前記切り換え部材（２８）の第２の設定位置において、前記引き金ラチェット（２３）は前記解除位置に固定され、前記カム（１１）を解放することを特徴とする請求項８記載のビレー装置。
【請求項１１】
前記カム（１１）は、解放自在の機械的接続（３６）によって操作ハンドル（２９）に連結され、この機械的接続（３６）は、前記カム（１１）を離間位置に移動させるようハンドル（２９）が中間位置に到るまでは機能し、前記カム（１１）を解放して固定位置に再び戻らせるようにするようハンドル（２９）が前記中間位置を通過した後は機能しなくなることを特徴とする請求項１記載のビレー装置。
【請求項１２】
前記操作ハンドル（２９）は、伝達ロッド（３１）と関節をなし、前記機械的接続（３６）により前記カム（１１）の駆動スピンドルピン（３４）に接続されたトグル装置を形成することを特徴とする請求項１１記載のビレー装置。
【請求項１３】
前記回転カム（１１）の第１のスピンドルピン（１１４）は、付属品のカラビナ（３９）を通すため中空となっていることを特徴とする請求項１記載のビレー装置。
【請求項１４】
格納用のフランジプレート（１８）が、支持プレート（１７）の第２のスピンドルピン（１９）の周りで回転するよう設けられており、このフランジプレート（１８）は、前記カム（１１）の周りにロープを先立って巻く間における開口位置、または前記支持プレート（１７）と前記フランジプレート（１８）との間に設けられた横の隙間内に捕捉された前記ロープ（１３）を保持する閉止位置のいずれかにあることを特徴とする請求項１乃至１３のいずれか一項に記載のビレー装置。
【発明の詳細な説明】
【技術分野】
【０００１】
本発明は、
固定用止め金具が取り付けられた支持プレートと、
第１のスピンドルピンの周りで支持プレートに対して制限的な回転を行うよう取り付けられ、周囲でロープが巻かれるような周辺領域を有するようなカムであって、止め金具に対する引っ掛かり効果によりロープがブロックされることに対応する固定位置と、カムと止め金具との間の隙間においてロープを自在に走行させることができるような離間位置との間で移動自在となっているようなカムと、
を備えたロープ用のビレー装置に関する。
【背景技術】
【０００２】
ＥＰ−Ａ−３９８８１９の明細書には、急に張力がかかったときにセルフロックするようなビレー装置が開示されている。このビレー装置は、回転支持プレートに設けられたカムを備えている。回転支持プレートには、手動によるロープの解放を行うためのハンドルが取り付けられている。支持プレートの戻りバネがカムを付勢してこのカムを開口位置に移動させ、ロープが自在にスライドするようになる。カムには２つのブレーキ面が設けられており、第１の固定位置から第２の固定位置へのスイッチの境界は、戻りバネの硬さまたは負荷に基づいている。
【０００３】
ＦＲ−Ａ−２７２１５２３の明細書は、戻りバネの動作に支配される回転カムを有するような、セルフロックのビレー所持者および下山者に関する。この戻りバネは回転カムを解放位置に付勢する。カムは、機械装置の操作ハンドルの角位置に基づいて、固定位置と解放位置との間において手動で駆動することができる。
【０００４】
他の公知のビレー装置においては、伸縮自在のボールを有する固定装置によりカムは開口位置に維持される。このボールは、カム上のロープにより与えられる力に基づいて空くような堅い保持点を構成している。
【０００５】
これらの公知の装置においては、ロープの固定位置へのカムの移動は、ロープの径、ロープの走行速度、およびカム上のロープの摩擦に基づくようになっている。
【０００６】
ＥＰ１１７４６６の明細書は、海軍において使用されるロープ用の妨害クリートに関する。ロープはカムに対して直線的に延び、クリートはブロック位置または解放位置で固定される。ロープはカムの周囲に巻かれることはなく、このため登山におけるビレー装置や下り用の装置のようには使用されない。
【発明の開示】
【発明が解決しようとする課題】
【０００７】
本発明の目的は、カム上のロープの径や摩擦の程度に関係なく、カムを素早くかつ確実に解放することができる多機能のビレー装置を提供することにある。
【課題を解決するための手段】
【０００８】
本発明による装置は、カムが引き金ラチェットと協働するようになっている。この引き金ラチェットは、離間位置にあるカムをブロックするような固定位置、またはカムを解放するような制御動作の後における解除位置のいずれかの位置にある。
【０００９】
先頭の登山者が通常状態で前進するときには、ラチェットによりカムは回転しないよう静止され、離間位置に固定される。先頭の登山者が落下したときには、引き金の制御指令によりカムが解放され、ロープの張力によりこのカムは固定位置に回転する。ビレー所有者による制御指令は、引き金ラチェットの位置を変えるようなロープの自由な綱を介して、または他の制御手段を介して、なされる。
【００１０】
好ましい実施の形態において、回転を行う引き金ラチェットは、少なくともその一端において、カムの固定用ノッチに引っ掛かるような把持部材を有しているとともに、その他端において、ラチェットを固定位置に向けて付勢するバネと連動して動作を行う制御用翼板を有している。固定用ノッチは、カム内に配置された長円形の開口部の端部または近傍に設けられており、この開口部における円形領域の形状の部分は、カムの回転軸を中心としており、少なくとも離間位置と固定位置との間におけるカムの角運動の距離と等しい長さを有している。
【００１１】
引き金ラチェットは、より有利には、切り換え部材と協働するよう設けられている。切り換え部材は、先頭の登山者のビレーとしての作用に対応する第１の設定位置、または２番目の登山者のビレーとしての作用に対応する第２の設定位置のいずれかに設定可能となっている。第１の設定位置において、切り換え部材は、引き金ラチェットを固定位置と解除位置との間で回転させることができる。第２の設定位置において、切り換え部材は、カムを解放するような解除位置に固定される。
【００１２】
本発明による他の特徴によれば、カムは、解放自在の機械的接続によって操作ハンドルに連結され、この機械的接続は、カムを離間位置に移動させるようハンドルが中間位置に到るまでは機能し、カムを解放して固定位置に再び戻らせるようにするようハンドルが中間位置を通過した後は機能しなくなる。
【発明を実施するための最良の形態】
【００１３】
他の利点および特徴については、単なる非制限的な例として与えられ添付図面により示される、本発明の２つの実施の形態に係る以下の記載からより明らかになるであろう。
【００１４】
図１乃至図１３に示すように、ロープ用のビレー装置１０は、溝１２が設けられた周辺領域を有するブロックカム１１を備えている。この周辺領域の周囲で、ロープ１３が半周巻かれるようになっている。カム１１は、第１の固定スピンドルピン１４の周りで制限的な回転を行うよう取り付けられており、このカム１１は、ロープの引っ掛かり作用に対応する固定位置（図８）と、ロープの解放作用に対応する離間位置（図５）との間で移動することができるようになっている。
【００１５】
登山者の落下の後において固定状態とするために、カム１１には、固定用止め金具１６に対してロープ１３を引っ掛けるよう設計された突起１５が設けられている。止め金具１６およびスピンドルピン１４は、固定手段により支持プレート１７の内壁に固定され、回転しないように連結されている。
【００１６】
格納用のフランジプレート１８が、支持プレート１７の第２のスピンドルピン１９に回転自在に取り付けられており、このフランジプレート１８は、カム１１の周りにロープ１３を先だって設けるような動作の間における開口位置、または支持プレート１７とフランジプレート１８との間に設けられた横の隙間２０内に捕捉されたロープ１３を保持する閉止位置（図２）のいずれかにあるようになっている。
【００１７】
カム１１は、更に、第１のスピンドルピン１４を中心とした円形形状のような、長円形の開口部２１を備えており、内部に固定用ノッチ２２が突起１５に近い右端に設けられている。
【００１８】
引き金ラチェット２３は、カム１１と支持プレート１７との間に設けられており、カム１１の動きを制御するようになっている。引き金ラチェット２３は第３のスピンドルピン２４の周囲で回転するよう取り付けられており、固定位置または解除位置のいずれかに位置するようになっている。第３のスピンドルピン２４は支持プレート１７により支持されており、ロープが通過するような領域にある止め金具１６の近傍に設置されている。引き金ラチェット２３の一端は、カム１１の長円形の開口部２１内で移動することができるような戻り止め部材２５に取り付けられており、引き金ラチェット２３の反対側の端部は、止め金具１６の止まり穴に収容された圧縮バネ２７と連動して動作する制御用翼板２６に取り付けられている。戻り止め部材２５は、解除状態となった後の開口部２１の移動を促進するようなローラ２５ａに取り付けられていることが好ましい。
【００１９】
圧縮バネ２７は、例えば第３のスピンドルピン２４に挿入されるねじれバネのような他の種類の戻しバネに置き換えることができることは明らかであろう。
【００２０】
例えば回転つまみの形状のような切り換え部材２８は、支持プレート１７の外面に固定されており、引き金ラチェット２３に連結されて第１の設定位置１（図１乃至図８）または第２の設定位置２（図９乃至図１１）のいずれかにこの引き金ラチェット２３を手動で回転させるようになっている。
【００２１】
第１の設定位置１は、先頭の登山者のビレーとしての作用に対応しており、固定位置と解除位置との間で引き金ラチェット２３の双方向の回転を許容するようになっている。ロープ１３の緩んだ第１の綱１３ａが翼板２６に接触してバネ２７の対向する力に対してこの翼板２６を押圧したときに、引き金ラチェット２３は自動的に解除位置（図７）に移動することができる。そしてカム１１が解放され、溝１２内におけるロープ１３の作用によって固定位置に回転することができるようになる。
【００２２】
第２の設定位置２は、２番目の登山者のビレーとしての作用、または頂点のロープの作用に対応している。この位置において、切り換え部材２８は解除位置で引き金ラチェット２３を固定する。ビレー装置は固定手段として機能するようになる。
【００２３】
ビレー装置１０は、第４のスピンドルピン３０の周りで制限された回転を行うよう取り付けられた操作ハンドル２９を更に備えている。この第４のスピンドルピン３０は、切り換え部材２８と同じ側で支持プレート１７の外面に取り付けられている。伝達ロッド３１はハンドル２９と関節をなし、関節スピンドルピン３２を有するとともに離脱可能な機械的接続３６によりカム１７と連動して作動するようなトグル装置を形成するようになっている。関節スピンドルピン３２と反対側におけるロッド３１の端部は、機械的接続３６が駆動したときに、カム１１の駆動スピンドルピン３４に係合することができるラッチフック３３の形状となる。駆動スピンドルピン３４は、この目的のためにスロット３５を通過する。スロット３５は、支持プレート１７に設けられ、カム１１の角運動に対応する長さを有している。
【００２４】
支持プレート１７は、その底部に第１の穴３７を有している。この穴３７は、フランジプレート１８が閉止位置（図２）にあるときにこのフランジプレート１８の第２の穴３８に対向するよう位置づけされている。付属品のカラビナ３９は、位置合わせされた２つの穴３７、３８内に引っ掛かり、装置１０をビレーのハーネスに接続させるようになっている。このことにより、開口位置へのフランジプレート１８の移動が不可能となる。
【００２５】
図１乃至図１３によるビレー装置１０の動作は以下の通りである。
【００２６】
フランジプレート１８が開口位置に回転した後に、ロープ１３がまず装置１０に配置される。ロープ１３は単にカム１１の周辺溝１２に巻かれてカム１１の周りにＵ字形状のループが形成し、固定用止め金具１６に対向するブロック領域を通過する。そしてフランジプレート１８は閉止位置に戻るよう回転し、カラビナ３９が穴３７、３８に固定され、ハーネスに掛けられる。
【００２７】
本発明によるビレー装置１０は用途が広く、様々な機能を有している。
【００２８】
１）先頭の登山者のビレー（図２乃至図８）
切り換え部材２８が第１の設定位置１にセットされ、操作ハンドル２９が非作動位置に収容される。非作動位置において、ロッド３１のカム１１に対する機械的接続３６が遮断される（図２乃至図４）。
【００２９】
ロープ１３における自由な下りの第１の綱１３ａは、引き金ラチェット２３の翼板２６の上を通過する。そして、先頭の登山者はこの第１の綱１３ａを自分の手で保持する。上りの第２の綱１３ｂは、先頭の登山者のハーネスに取り付けられている。第１の設定位置１において、切り換え部材２８は、引き金ラチェット２３を固定位置と解除位置との間で回転させることができる。
【００３０】
先頭の登山者が通常状態で前進するときには、カム１１はラチェット２３により回転しないよう静止され、離間位置に固定される（図５）。ロープ１３は翼板２６を押圧することはなく、バネ２７がラチェットの戻り止め部材２５をカム１１の固定用ノッチ２２の中へ付勢する。ロープ１３は、カム１１の溝１２内およびカム１１と止め金具１６との間の隙間で自由にスライドすることができる。
【００３１】
先頭の登山者が落下するのを阻止するために、この登山者は、緩んだ第１の綱１３ａを下方に引っ張る（図６の矢印Ｆ１）。そうすると、バネ２７の抵抗力に逆らって引き金ラチェット２３が解除位置に回転する（図７）。カム１１が解放され、ロープ１３の張力によりこのカム１１は固定位置に回転する（図８）。この固定位置において、突起１５は止め金具１６に対してロープを引っ掛ける。このようなカム１１の移動の間、ローラ２５ａとともに戻り止め部材２５は開口部２１の左端に向かって移動する。このことにより、ロープ１３の走行を止めて先頭の登山者を確実に安全にするような、自動的な停止がなされる。
【００３２】
解除位置への引き金ラチェット２３の移動は、ビレー装置を有する登山者により操作される他の様々な作動手段でも達成することができる。
【００３３】
図５に示すような離間位置へのカム１１の再セットは、ロープ１３を数センチメートル引っ込め、カム１１を摩擦により反時計回りに回転させることにより行われる。動作の最後に、バネ２７が自動的に戻り止め部材２５を固定用ノッチ２２内の元の位置に戻し、カム１１を離間位置に固定し、ロープ１３が自由に走行するようになる。
【００３４】
２）２番目の登山者のビレー（図９および図１０）
切り換え部材２８は、２番目の登山者の作用または頂点のロープの作用に対応するような第２の設定位置２にセットされる。この位置において、切り換え部材２８は、解除位置にある引き金ラチェット２３をブロックし、カム１１を恒久的に解放する。戻り止め部材２５は開口部２１の固定用ノッチ２２から出てくる。そして、第２の登山者よりも下方にいる登山者が落下した際に、装置は、下りの綱１３ａをブロックするような単一のロープの固定手段として機能する。先頭の登山者に対するビレー作用は、この場合不可能である。
【００３５】
３）操作ハンドルを駆動することによるカムの解放（図１１乃至図１３）
切り換え部材２８が第１の設定位置１にあるときに、操作ハンドル２９を時計回りに回転させ（図１１の矢印Ｆ２）、ロープ１３の解放に対応するような分離位置にカム１１を意図的に移動させることができる。約１５°〜２０°の角運動に対応するようなハンドル２９の移動開始時において、ロッド３１のラッチフック３３は駆動スピンドルピン３４に係合し、機械的接続３６を形成するようになる。そして、ハンドル２９の動作により、カム１１がロープ１３の解放方向に回転する。
【００３６】
図１２において、ハンドル２９は約９０°の移動を伴う運動を行っており、カム１１の解放に対応している。ロッド３１がハンドル２９を押圧し、その軌跡の中心は第４のスピンドルピン３０となる。機械的接続３６は引き続き行われる。
【００３７】
図１３は、図１２に示すような位置から操作ハンドル２９の移動が引き続き行われ、とりわけ９６°の位置に達した後における、抗パニック引き金作用に対応している。ロッド３１はハンドル２９と共に移動し、ラッチフック３３によるスピンドルピン３４との機械的接続３６が遮断される。カム１１は再び自由となって元に戻り、引き金１６に対してロープをブロックするようになる。
【００３８】
ビレー装置１００の他の実施の形態が図１４および図１５に示される。ここで、前述の図１乃至図１３におけるものと同一または類似の構成要素には同じ参照符号が用いられる。第１のスピンドルピン１１４は中空であり、支持プレート１７に対して垂直に延びるチューブ状のスリーブにより形成されている。カム１１には、断面が円形である軸穴４０が設けられており、この軸穴４０はスリーブよりもわずかに径が大きくなっており、回転カム１１が固定されたときのジャーナル軸受として機能するようになっている。装置１００の支持プレート１７およびフランジプレート１８にそれぞれ設けられている穴１３７、１３８は、付属品のカラビナ３９を通すために、中空のスピンドルピン１１４のスリーブに位置合わせされている。
【００３９】
装置１００の他の部分は、図１乃至図１３の装置１０に使用されるものと同一となっている。
【００４０】
ビレー装置１００により、支持プレート１７およびフランジプレート１８の高さ方向の寸法を減らすことができるので、装置の全体サイズをコンパクトなものとすることができる。カム１１の中空のスピンドルピン１１４に付属品のカラビナ３９を挿入させることにより、装置１００を使用者に非常に近づけることができ、より素早く緩んだ状態にすることができる。
【図面の簡単な説明】
【００４１】
【図１】回転フランジプレートが閉じられ、ロープおよび付属品のカラビナが定位置に取り付けられた後における、本発明によるビレー装置を前方から見た斜視図である。
【図２】回転フランジプレートが閉じられ、ロープおよび付属品のカラビナが定位置に取り付けられた後における、本発明によるビレー装置を後方から見た斜視図である。
【図３】カム、引き金ラチェットおよび固定用止め金具を支持するような支持プレートの内面の正面図であって、カムが離間位置にあるときの図である。
【図４】切り換え部材および操作ハンドルが取り付けられた支持プレートの外面の正面図であって、先頭の登山者のビレーとしての作用に対応する第１の設定位置１に切り換え部材が位置しており、操作ハンドルはカムの機械的接続を遮断するような非作動位置に収容されているときの図である。
【図５】カムが引き金ラチェットにより離間位置に固定され、ロープが自在に走行するようになっている状態を示す図３の部分断面図である。
【図６】下りのロープ綱が引き金ラチェットの翼板を押圧したときの、図３と同一の図である。
【図７】ラチェットが取り除かれることによりカムが非固定状態となったときを示す、図６の部分断面図である。
【図８】固定用止め金具に対してロープをブロックするような固定位置にカムが回転した後の、図７と同一の図である。
【図９】２番目の登山者のビレーとしての作用、または降下する人に対する作用に対応する第２の設定位置２に切り換え部材がセットされ、引き金ラチェットが恒久的に解除位置でブロックされ、妨害物として動作するカムを解放した後の、図８と同一の図である。
【図１０】２番目の登山者のビレーとしての作用、または降下する人に対する作用に対応する第２の設定位置２に切り換え部材がセットされ、引き金ラチェットが恒久的に解除位置でブロックされ、妨害物として動作するカムを解放した後の、図４と同一の図である。
【図１１】カムの解放開始時の操作ハンドルの作動の位相を示す図である。
【図１２】解放動作の終了時の操作ハンドルの作動の位相を示す図である。
【図１３】離脱可能な機械的接続を抗パニック引き金が遮断し、カムが固定位置に戻ることができるようにしたときの操作ハンドルの作動の位相を示す図である。
【図１４】ビレー装置の他の実施の形態の分解斜視図である。
【図１５】前方のフランジプレートが取り外された後の組立装置の正面図である。
【図１】
2007255709.tif 000003
【図２】
2007255709.tif 000004
【図３】
2007255709.tif 000005
【図４】
2007255709.tif 000006
【図５】
2007255709.tif 000007
【図６】
2007255709.tif 000008
【図７】
2007255709.tif 000009
【図８】
2007255709.tif 000010
【図９】
2007255709.tif 000011
【図１０】
2007255709.tif 000012
【図１１】
2007255709.tif 000013
【図１２】
2007255709.tif 000014
【図１３】
2007255709.tif 000015
【図１４】
2007255709.tif 000016
【図１５】
2007255709.tif 000017
【外国語明細書】
2007255709000001.pdf